【手続補正書】
【提出日】平成21年5月22日(2009.5.22)
【手続補正１】
【補正対象書類名】特許請求の範囲
【補正対象項目名】全文
【補正方法】変更
【補正の内容】
【特許請求の範囲】
【請求項１】
シンクライアント装置からのジョブ情報を、当該シンクライアント装置を管理するサーバ装置を介して受信して、また非シンクライアント装置からのジョブ情報を受信して処理を行う画像処理装置であって、
前記ジョブ情報の依頼元がシンクライアント装置であるか非シンクライアント装置であるかを判断する判断手段と、
前記判断手段によりジョブ情報の依頼元が非シンクライアント装置であると判断した場合、ジョブ履歴としてジョブ情報の処理結果及び当該ジョブ情報に係る画像データを蓄積手段に登録させ、シンクライアント装置であると判断した場合、ジョブ履歴としてジョブ情報の処理結果及び前記サーバ装置上の当該ジョブ情報に係る画像データを特定する情報を前記蓄積手段に登録させる登録手段と、
を有することを特徴とする画像処理装置。
【請求項２】
前記ジョブ情報の種別に応じて前記登録手段でジョブ情報に係る画像データを前記蓄積手段に登録すべきか否かを判定する判定手段を有し、
前記登録手段は、前記判断手段でジョブ情報の依頼元が非シンクライアント装置であると判断し、かつ前記判定手段で前記ジョブ情報の種別が入力ジョブであると判定された場合に、ジョブ履歴としてジョブ情報の処理結果及び当該ジョブ情報に係る画像データを前記蓄積手段に登録させることを特徴とする請求項１記載の画像処理装置。
【請求項３】
前記登録手段は、前記ジョブ情報の処理結果として当該ジョブ情報を処理した装置を特定する情報を登録させることを特徴とする請求項１または２に記載の画像処理装置。
【請求項４】
前記登録手段は、前記ジョブ情報の処理結果として当該ジョブ情報を処理した日時を登録させることを特徴とする請求項１乃至３のいずれかに記載の画像処理装置。
【請求項５】
前記非シンクライアント装置は、ジョブ情報を生成するために自装置が備えるプリンタドライバを利用する装置であり、前記シンクライアント装置は、前記サーバ装置が備える前記プリンタドライバを利用する装置であることを特徴とする請求項１乃至４のいずれかに記載の画像処理装置。
【請求項６】
前記非シンクライアント装置は、ジョブ情報を生成するために自装置が備えるアプリケーションソフトウェアを利用する装置であり、前記シンクライアント装置は、前記サーバ装置が備える前記アプリケーションソフトウェアを利用する装置ことを特徴とする請求項１乃至４のいずれかに記載の画像処理装置。
【請求項７】
ジョブ履歴を蓄積手段に登録して管理するジョブ管理装置と、ジョブ情報を処理する画像処理装置と、シンクライアント装置を管理するサーバ装置とを有するデータ処理システムにおける前記ジョブ管理装置によるデータ処理方法であって、
前記シンクライアント装置からの指示に基づき前記画像処理装置に処理させたジョブの処理結果及び当該ジョブに係る画像データを特定する情報を、前記サーバ装置から受信し、
受信した処理結果及び画像データを特定する情報をそれぞれ対応付けてジョブ履歴として前記蓄積手段に登録して管理することを特徴とするデータ処理方法。
【請求項８】
前記画像データを特定する情報は、前記画像処理装置に印刷処理させた印刷データであることを特徴とする請求項７記載のデータ処理方法。
【請求項９】
前記ジョブ管理装置は、さらに前記画像処理装置から当該画像処理装置が処理したジョブに係る処理結果及び画像データを受信可能であり、前記画像処理装置からジョブに係る処理結果を受信できない場合に、前記サーバ装置からジョブの処理結果及び当該ジョブに係る画像データを特定する情報を受信することを特徴とする請求項７または８に記載のデータ処理方法。
【請求項１０】
前記ジョブ管理装置は、前記画像処理装置がジョブ履歴の送信機能を有している場合に、当該ジョブに係る画像データの消去を指示することを特徴とする請求項７または８に記載のデータ処理方法。
【請求項１１】
シンクライアント装置からのジョブ情報を、当該シンクライアント装置を管理するサーバ装置を介して受信して、また非シンクライアント装置からのジョブ情報を受信して処理を行う画像処理装置におけるデータ処理方法であって、
前記ジョブ情報の依頼元がシンクライアント装置であるか非シンクライアント装置であるかを判断する判断ステップと、
前記判断ステップによりジョブ情報の依頼元が非シンクライアント装置であると判断した場合、ジョブ履歴としてジョブ情報の処理結果及び当該ジョブ情報に係る画像データを蓄積手段に登録させ、シンクライアント装置であると判断した場合、ジョブ履歴としてジョブ情報の処理結果及び前記サーバ装置上の当該ジョブ情報に係る画像データを特定する情報を前記蓄積手段に登録させる登録ステップと、
を有することを特徴とするデータ処理方法。
【請求項１２】
請求項７〜１１のいずれかに記載のデータ処理方法を、コンピュータに実行させるためのプログラムを格納したことを特徴とするコンピュータが読み取り可能な記憶媒体。
【請求項１３】
請求項７〜１１のいずれかに記載のデータ処理方法を、コンピュータに実行させるたことを特徴とするプログラム。
【手続補正２】
【補正対象書類名】明細書
【補正対象項目名】００１６
【補正方法】変更
【補正の内容】
【００１６】
シンクライアント装置からのジョブ情報を、当該シンクライアント装置を管理するサーバ装置を介して受信して、また非シンクライアント装置からのジョブ情報を受信して処理を行う画像処理装置であって、前記ジョブ情報の依頼元がシンクライアント装置であるか非シンクライアント装置であるかを判断する判断手段と、前記判断手段によりジョブ情報の依頼元が非シンクライアント装置であると判断した場合、ジョブ履歴としてジョブ情報の処理結果及び当該ジョブ情報に係る画像データを蓄積手段に登録させ、シンクライアント装置であると判断した場合、ジョブ履歴としてジョブ情報の処理結果及び前記サーバ装置上の当該ジョブ情報に係る画像データを特定する情報を前記蓄積手段に登録させる登録手段と、
を有することを特徴とする。
【手続補正３】
【補正対象書類名】明細書
【補正対象項目名】００１９
【補正方法】変更
【補正の内容】
【００１９】
また、シンクライアント装置からのジョブ情報を、当該シンクライアント装置を管理するサーバ装置を介して受信して、また非シンクライアント装置からのジョブ情報を受信して処理を行う画像処理装置におけるデータ処理方法であって、前記ジョブ情報の依頼元がシンクライアント装置であるか非シンクライアント装置であるかを判断する判断ステップと、前記判断ステップによりジョブ情報の依頼元が非シンクライアント装置であると判断した場合、ジョブ履歴としてジョブ情報の処理結果及び当該ジョブ情報に係る画像データを蓄積手段に登録させ、シンクライアント装置であると判断した場合、ジョブ履歴としてジョブ情報の処理結果及び前記サーバ装置上の当該ジョブ情報に係る画像データを特定する情報を前記蓄積手段に登録させる登録ステップとを有することを特徴とする。
【手続補正４】
【補正対象書類名】明細書
【補正対象項目名】００４８
【補正方法】変更
【補正の内容】
【００４８】
２１１０は暗号・復号処理部で、ＩＣ  Ｃａｒｄ  Ｓｌｏｔ２１００の鍵やデバイス固有の鍵を用いてデータの暗号化・復号化処理を行うハードウェアアクセラレータボードである。